(57)【要約】【課題】安定した量の内容物を吐出させることができるコンパクト容器を提供する。【解決手段】コンパクト容器１Ａは、内容器２と、連通孔２１ａが形成された内蓋３と、連絡空間Ｓ１を画成するとともに吐出孔４ａが形成された中蓋４と、連通孔と連絡空間との連通およびその遮断を切り替える第１弁体５と、吐出孔を開放可能に閉塞する第２弁体６と、を備える。中蓋は、弾性変形可能に形成され、弾性変形することで連絡空間の内圧を増減させる操作部３３を備え、操作部が下方移動して連絡空間の内圧が上昇したときに、第１弁体は連通孔と連絡空間との連通を遮断し、かつ、第２弁体は吐出孔を開放し、操作部が上方移動して連絡空間の内圧が下降したときに、第２弁体は吐出孔を閉塞し、かつ、第１弁体は連通孔と連絡空間とを連通させ、第２弁体が中蓋に装着されている。【選択図】図２
2019080857.tif 000002
【特許請求の範囲】
【請求項１】
内容物が収容される内容器と、
前記内容器の内部を封止し、前記内容器内に連通する連通孔が形成された内蓋と、
前記内蓋の上方に設けられ、前記内蓋との間に前記連通孔に連通する連絡空間を画成するとともに、前記連絡空間に連通して前記内容物を吐出させる吐出孔が形成された中蓋と、
前記連通孔と前記連絡空間との連通、およびその遮断を切り替える第１弁体と、
前記吐出孔を開放可能に閉塞する第２弁体と、を備え、
前記中蓋は、弾性変形可能に形成されるとともに弾性変形することで前記連絡空間の内圧を増減させる操作部を備え、
前記操作部が下方移動して前記連絡空間の内圧が上昇したときに、前記第１弁体は前記連通孔と前記連絡空間との連通を遮断し、かつ、前記第２弁体は前記吐出孔を開放し、
前記操作部が上方移動して前記連絡空間の内圧が下降したときに、前記第２弁体は前記吐出孔を閉塞し、かつ、前記第１弁体は前記連通孔と前記連絡空間とを連通させ、
前記第２弁体が前記中蓋に装着されている、コンパクト容器。
【請求項２】
前記第２弁体は、前記中蓋と前記内蓋との間に位置している、請求項１に記載のコンパクト容器。
【請求項３】
前記第２弁体の上端が、上下方向において前記吐出孔の上端と略同等若しくはそれよりも下方に位置している、請求項２に記載のコンパクト容器。
【発明の詳細な説明】
【技術分野】
【０００１】
本発明は、コンパクト容器に関する。
【背景技術】
【０００２】
従来から、内容物が収容される内容器を備えたコンパクト容器が用いられている。例えば下記特許文献１では、内容器の上面をネットで覆い、このネットをパフ等の塗布具で押圧することで、ネットの網目を通して滲み出た内容物を塗布具に付着させる構成を開示している。
【先行技術文献】
【特許文献】
【０００３】
【特許文献１】特開２００３−９３１４５号公報
【発明の概要】
【発明が解決しようとする課題】
【０００４】
上記特許文献１の構成では、塗布具でネットを押し付ける際の力加減によって、網目を通して滲み出る内容物の量が大きく変化してしまう。このため、安定した量の内容物を塗布具に付着させることが容易ではなかった。
【０００５】
本発明はこのような事情を考慮してなされたもので、安定した量の内容物を吐出させることができるコンパクト容器を提供することを目的とする。
【課題を解決するための手段】
【０００６】
上記課題を解決するために、本発明のコンパクト容器は、内容物が収容される内容器と、前記内容器の内部を封止し、前記内容器内に連通する連通孔が形成された内蓋と、前記内蓋の上方に設けられ、前記内蓋との間に前記連通孔に連通する連絡空間を画成するとともに、前記連絡空間に連通して前記内容物を吐出させる吐出孔が形成された中蓋と、前記連通孔と前記連絡空間との連通、およびその遮断を切り替える第１弁体と、前記吐出孔を開放可能に閉塞する第２弁体と、を備え、前記中蓋は、弾性変形可能に形成されるとともに弾性変形することで前記連絡空間の内圧を増減させる操作部を備え、前記操作部が下方移動して前記連絡空間の内圧が上昇したときに、前記第１弁体は前記連通孔と前記連絡空間との連通を遮断し、かつ、前記第２弁体は前記吐出孔を開放し、前記操作部が上方移動して前記連絡空間の内圧が下降したときに、前記第２弁体は前記吐出孔を閉塞し、かつ、前記第１弁体は前記連通孔と前記連絡空間とを連通させ、前記第２弁体が前記中蓋に装着されている。
【０００７】
本発明のコンパクト容器によれば、操作部が下方移動して連絡空間の内圧を上昇させたときに、第１弁体は連通孔と連絡空間との連通を遮断し、かつ、第２弁体は吐出孔を開放する。また、操作部が上方移動して連絡空間の内圧を下降させたときに、第２弁体は吐出孔を閉塞し、かつ、第１弁体は連通孔と連絡空間とを連通させる。このため、使用者は、操作部を押し下げたりその押し下げを解除したりして操作部を弾性変形させることで、連絡空間の内圧を増減させて、連絡空間内を負圧にして内容器内の内容物を連絡空間内に流入させ、連絡空間内に内容物を充填することができる。この状態で、操作部を押下して連絡空間の内圧を上昇させると、連絡空間の内圧の上昇に対応した量だけ、内容物を吐出孔から吐出させることができる。
また、第２弁体が中蓋に装着されていることにより、例えば中蓋に外力が作用した場合に、第２弁体が中蓋に対して移動して吐出孔が不意に開放されてしまうことが抑えられる。従って、中蓋の内側の密封性をより高めたコンパクト容器とすることができる。
【０００８】
ここで、前記第２弁体は、前記中蓋と前記内蓋との間に位置していてもよい。
【０００９】
この場合、使用者から第２弁体が見えにくくなり、コンパクト容器の外観を良好にすることができる。
【００１０】
また、前記第２弁体の上端が、上下方向において前記吐出孔の上端と略同等若しくはそれよりも下方に位置していてもよい。
【００１１】
この場合、吐出孔の上端開口部の近傍に意図しない外力が加わったとしても、この外力が第２弁体に作用しにくくなる。従って、第２弁体が不意に動いて吐出孔が開放されてしまうことをより確実に抑えて、中蓋の内側の密封性をより高めることができる。
【発明の効果】
【００１２】
本発明によれば、安定した量の内容物を吐出させることが可能なコンパクト容器を提供することができる。
【図面の簡単な説明】
【００１３】
【図１】第１実施形態に係るコンパクト容器の平面図である。
【図２】図１のII-II断面矢視図である。
【図３】図１のIII-III部分断面矢視図である。
【図４】第１実施形態の変形例に係るコンパクト容器の縦断面図である。
【図５】第２実施形態に係るコンパクト容器の縦断面図である。
【発明を実施するための形態】
【００１４】
（第１実施形態）
以下、第１実施形態のコンパクト容器について図面に基づいて説明する。なお、以下の説明で用いる図面は、特徴をわかりやすくするために、便宜上特徴となる部分を拡大して示している場合があり、各構成要素の寸法比率などが実際と同じであるとは限らない。また、本発明は以下の実施形態に限定されない。
【００１５】
図１および図２に示すように、コンパクト容器１Ａは、内容物が収容される内容器２と、内容器２の内部を封止する内蓋３と、内容物を吐出させる吐出孔４ａが形成された中蓋４と、第１弁体５と、第２弁体６と、外容器７と、を備えている。内容器２、内蓋３、中蓋４、第１弁体５、および第２弁体６は、外容器７の内部に収容されている。外容器７は、回転軸Ｒ回りに相対的に回転可能な蓋部材５０および底部材６０を備えている。
【００１６】
（方向定義）
本実施形態では、外容器７の中心軸線（コンパクト容器１Ａの中心軸線）を容器軸Ｏといい、容器軸Ｏに沿う方向を上下方向という。また、蓋部材５０が閉じられた状態において、上下方向に沿って底部材６０から蓋部材５０へ向かう方向を上方といい、蓋部材５０から底部材６０へ向かう方向を下方という。また、容器軸Ｏに沿う断面を縦断面という。
上下方向から見た平面視で、容器軸Ｏに直交する方向を径方向といい、容器軸Ｏ回りに周回する方向を周方向という。径方向に沿って容器軸Ｏに接近する方向を径方向内側といい、容器軸Ｏから離間する方向を径方向外側という。径方向のうち、回転軸Ｒに平行な方向を左右方向と呼び、回転軸Ｒに直交する方向を前後方向という。前後方向に沿って、容器軸Ｏから回転軸Ｒへ向かう方向を後方と呼び、回転軸Ｒから容器軸Ｏへ向かう方向を前方という。
【００１７】
（外容器）
図２に示すように、底部材６０は、容器軸Ｏと同軸に配置された円板状の底板部６１と、底板部６１の外周縁から上方に延びる円筒状の筒状壁部６２と、を備え、有底筒状に形成されている。底部材６０の後端部には、前方に向けて窪む凹部６３が設けられている。底部材６０の前端部には、プッシュピース８およびロック部材９が設けられている。プッシュピース８は、ロック部材９よりも前方に位置しており、少なくとも一部が筒状壁部６２から前方に向けて突出している。プッシュピース８は、前方付勢状態で、底部材６０に対して後方移動可能に設けられている。ロック部材９には、後方に向けて窪むロック孔９ａが形成されている。本実施形態では、ロック孔９ａがロック部材９を前後方向に貫通している。
【００１８】
図３に示すように、底部材６０には、底板部６１から上方に向けて延びる係止片６４が形成されている。係止片６４の上端部には、径方向内側に向けて突出する係止部６４ａが形成されている。図１に示すように、係止片６４は、周方向に等間隔を空けて複数形成されている。各係止片６４は、周方向に延びるとともに、表裏面が径方向を向く板状に形成されている。
【００１９】
図２に示すように、蓋部材５０は、容器軸Ｏと同軸に配置された円板状の天板部５１と、天板部５１の外周縁から下方に延びる円筒状の筒部５２と、を備える。蓋部材５０の後端部には、筒部５２から下方に向けて突出する連結部５４が形成されている。連結部５４は、底部材６０の凹部６３内に位置しており、凹部６３内で回転軸Ｒ回りに回動可能となっている。この構成により、蓋部材５０は、底部材６０に対して回転軸Ｒ回りに回動可能であり、底部材６０の上端開口を開閉可能に閉塞する。
【００２０】
筒部５２における前端部の下端には、後方に向けて突出するとともに、ロック部材９に対して離脱可能にアンダーカット嵌合される係止突起５３が形成されている。ロック部材９のロック孔９ａ内に係止突起５３が位置することで、蓋部材５０は閉状態でロックされる。使用者によりプッシュピース８が後方に押されると、ロック部材９がプッシュピース８とともに後方移動し、ロック部材９と係止突起５３との係合が解除される。これにより、蓋部材５０を開操作可能な状態とすることができる。なお、プッシュピース８の後方に向けた押し込みを解除すると、プッシュピース８およびロック部材９は、前方に向けて復元移動する。
【００２１】
なお、コンパクト容器１Ａは、上述したプッシュピース８を備えていなくてもよい。例えば指先等によって、係止突起５３を上方に押し上げることで、係止突起５３とロック孔９ａとの係合が解除され、蓋部材５０の閉状態のロックが解除されるように構成してもよい。
【００２２】
蓋部材５０の天板部５１の下面には、鏡Ｍが固定される。蓋部材５０と内蓋３との間には、パフＰ（塗布具）が配置されている。パフＰは、中蓋４の後述する操作部３３上に載置されている。
【００２３】
（内容器）
内容器２は、底部材６０の筒状壁部６２の径方向内側に配置されている。内容器２は、容器軸Ｏと同軸に配置され、上方に開口する扁平円筒状の容器である。内容器２は、可撓性を有し減容可能（減容変形可能）である。内容器２は、例えば、積層のフィルムや薄肉の樹脂成形品などで構成されている。内容器２は、可撓性に富む内側容器が、内側容器よりも硬質な外側容器の内面に積層されてなる、いわゆるデラミ容器などであってもよい。あるいは、内容器２内の収容空間Ｓ３が減容可能なその他の構成を採用してもよい。
【００２４】
内容器２の内部である収容空間Ｓ３には、流動性を有する内容物が収容されている。
内容物は、液状であっても、ゲル状であっても、ゼリー状であってもよい。内容物は、例えば、リキッドファンデーション等の化粧品である。
内容器２の上端部には、内容器２の上端部を径方向外側から囲む環状の取付リング８１が固定されている。取付リング８１は、上方に突出する取付筒部８２を有する。取付リング８１は、内容器２を中蓋４に取り付ける役割を有する。取付リング８１を内容器２に固定する方法としては、例えば内容器２をインサート品として取付リング８１を射出成形してもよい。あるいは、内容器２と取付リング８１とを接着若しくは溶着してもよいし、内容器２の成形および取付リング８１の内容器２への固定を同時に行ってもよい。
【００２５】
（内蓋）
内蓋３は、内容器２の上方に配設されている。内蓋３は、内容器２の上方の開口を塞ぎ、内容器２の内部を封止している。内蓋３は、内容器２に取付リング８１を介して装着された下部材１０と、下部材１０を介して内容器２に装着された上部材２０と、を備えている。なお、下部材１０は、取付リング８１と一体に形成されていてもよい。
【００２６】
下部材１０は、内容器２の上方の開口を覆う下側環状部１１と、下側環状部１１から上方に向けて延びる装着筒部１２および内側筒部１３と、内側筒部１３の上端部から径方向外側に向けて延びる環状の連結部１４と、連結部１４の外周縁から下方に向けて延びる外側筒部１５と、を有している。下側環状部１１、装着筒部１２、内側筒部１３、連結部１４、および外側筒部１５は、容器軸Ｏと同軸上に配置されている。
【００２７】
装着筒部１２は、下側環状部１１の内周縁から上方に突設されている。装着筒部１２の下端部は、内容器２に向けて開口している。内側筒部１３は、下側環状部１１の外周縁から上方に向けて延びている。外側筒部１５は、内側筒部１３よりも径方向外側に位置している。径方向において、内側筒部１３は内容器２の外周部と略同等の位置に配置され、外側筒部１５は内容器２の外周部よりも外側に位置している。外側筒部１５と内側筒部１３との間には、取付リング８１の取付筒部８２が嵌合されている。これにより、取付リング８１を介して、内容器２と内蓋３とが固定されている。
【００２８】
上部材２０は、平面視で環状の第１弁座部２１と、第１弁座部２１の外周縁から上方に向けて延びる内筒部２２と、内筒部２２の上端部から径方向外側に向けて延びる上側環状部２３と、上側環状部２３の外周縁から下方に向けて延びる外周筒部２４と、外周筒部２４の下端部から径方向外側に向けて延びる下フランジ部２５と、を備える。第１弁座部２１、内筒部２２、上側環状部２３、外周筒部２４、および下フランジ部２５は、容器軸Ｏと同軸上に配置されている。
【００２９】
第１弁座部２１の内周面は、後述する連絡空間Ｓ１と内容器２内とを連通させる連通孔２１ａとされている。連通孔２１ａは、容器軸Ｏと同軸の円孔状に形成されている。連通孔２１ａの上端開口縁には、第１弁座部２１から上方に向けて突出する環状の弁座台２１ｂが形成されている。内筒部２２は、下部材１０の装着筒部１２内に嵌合している。内筒部２２の上下方向における中央部には、径方向内側に突出する規制突起２２ａが形成されている。
外周筒部２４は、径方向において、下部材１０の装着筒部１２と内側筒部１３との間に位置している。下フランジ部２５は、下側環状部１１の径方向外側の端部に対して、その上方から対向している。
【００３０】
上側環状部２３は、平面視で環状かつ表裏面が上下方向を向く板状に形成されている。上側環状部２３は、後述する操作部３３と上下方向で対向している。上側環状部２３の内径および外径は、操作部３３の内径および外径と略同等である。上側環状部２３の内周縁部には、上方に向けて突出する内側支持部２３ａが形成されている。内側支持部２３ａは、周方向に間隔を空けて複数形成されている。上側環状部２３の外周部には、上方に向けて突出する環状の外側支持部２３ｂが形成されている。
【００３１】
（中蓋）
中蓋４は、有頂筒状に形成されており、頂壁部に位置する頂壁部材３０と、周壁部に位置する装着リング４０と、を備えている。中蓋４は、内蓋３の上方に設けられて、内蓋３との間に、連通孔２１ａに連通する連絡空間Ｓ１を画成する。本実施形態の中蓋４は、装着リング４０をインサート品として、頂壁部材３０を射出成形することで一体に形成されている。なお、頂壁部材３０および装着リング４０をそれぞれ別体に形成した後、これらを組み合わせることで中蓋４を形成してもよい。
【００３２】
装着リング４０は、上端部同士が連結された内筒４１および外筒４２を有する二重円筒状に形成されている。外筒４２の内周面の下部には、径方向内側に向けて突出する嵌合部４２ａが形成されている。嵌合部４２ａが取付リング８１にアンダーカット嵌合することで、取付リング８１および内容器２の装着リング４０に対する下方移動が規制されている。外筒４２の外周面の下部には、径方向内側に向けて窪み、かつ周方向に延びる周溝４２ｂが形成されている。周溝４２ｂには、底部材６０の係止部６４ａが係合する（図３参照）。これにより、装着リング４０が底部材６０から外れることが抑制されるとともに、内容器２の底部材６０に対する上方移動が規制されている。
【００３３】
装着リング４０の外周面には、径方向外側に向けて延びる環状の載置部４４が設けられている。載置部４４は、装着リング４０の外周面に、全周にわたって設けられている。載置部４４の下面は、底部材６０の筒状壁部６２の上面に対して、その上方から接触する。載置部４４は、中蓋４のうち、底部材６０に載置される部分である。
以上の構成により、内容器２または後述のリフィル容器２Ａは、装着リング４０を介して底部材６０に装着されている。
【００３４】
本実施形態では、内容器２、内蓋３、および中蓋４が、リフィル容器２Ａを構成している。リフィル容器２Ａは、外容器７に対して着脱自在に設けられている。これにより、使用者は、内容器２内の内容物を使い切った後に、リフィル容器２Ａを、内容物が充填された新しいリフィル容器２Ａと交換することができる。
なお、使用者は、底部材６０の係止部６４ａと装着リング４０の周溝４２ｂとの係合を解除することで、外容器７からリフィル容器２Ａを取り外すことができる。
【００３５】
装着リング４０の上面には、上方に突出する環状の隆起部４３が形成されている。隆起部４３の内周面は、上方に向かうにしたがい径方向外側へ向けて延びる曲面状に形成されている。隆起部４３により、後述する吐出孔４ａから吐出された内容物をパフＰで掬う操作が容易となる。また、隆起部４３は、吐出された内容物を堰き止めて、例えばこの内容物が装着リング４０の外側に垂れることを抑止したり、中蓋４上に載置されたパフＰの位置を安定させたりする役割なども有する。
【００３６】
頂壁部材３０は、平面視で円形状の頂部３２と、頂部３２から下方に向けて延びる係止筒部３１および弁保持筒３４と、を有している。頂部３２のうち、内蓋３の内筒部２２よりも径方向内側に位置する部分は、第１弁座部２１および内筒部２２とともに連絡空間Ｓ１を画成している。連絡空間Ｓ１は、平面視で容器軸Ｏと同軸の円形状に形成されている。
【００３７】
係止筒部３１は、装着リング４０の内筒４１内に係止されている。なお、頂壁部材３０と装着リング４０とを別体に形成した後、係止筒部３１を内筒４１内に嵌合することで、係止筒部３１を内筒４１内に係止してもよい。係止筒部３１は、内蓋３の外周筒部２４に外嵌されている。
頂部３２の径方向中央部には、この頂部３２を上下方向に貫通する吐出孔４ａが形成されている。吐出孔４ａは、連絡空間Ｓ１に向けて開口しており、連絡空間Ｓ１内に連通している。弁保持筒３４は、係止筒部３１よりも径方向内側に位置している。弁保持筒３４の下端部には、径方向外側に向けて突出する保持突起３４ａが形成されている。弁保持筒３４は、第２弁体６を保持する役割を有している。
【００３８】
頂部３２のうち、内蓋３の上側環状部２３と上下方向で対向する部分には、弾性変形可能な操作部３３が設けられている。操作部３３は、上面視で環状に形成されており、径方向において弁保持筒３４と係止筒部３１との間に位置している。操作部３３は、上側環状部２３との間に作動空間Ｓ２を画成している。作動空間Ｓ２は、上面視で環状に形成されている。作動空間Ｓ２は、周方向に間隔を空けて配置された複数の内側支持部２３ａ同士の間の隙間を通じて、連絡空間Ｓ１に連通している。縦断面視において、操作部３３の下面３３ａは、上方に向けて凸となる形状に形成されている。本実施形態では、下面３３ａが、上方に向けて凸となる曲面状に形成されている。なお、下面３３ａの形状として、例えば縦断面視で上方に向けて凸の台形状などを採用してもよい。
【００３９】
操作部３３は、上下方向に弾性変形可能に形成されている。操作部３３は、弾性変形することで作動空間Ｓ２および連絡空間Ｓ１の内圧を増減させる。操作部３３の材質は、例えばエラストマー、ニトリルゴム、ブチルゴム、シリコンゴム、軟質ポリエチレンおよびウレタン等（以下、単に「エラストマー等」という）の軟材質である。操作部３３は、装着リング４０よりも軟質であり、装着リング４０は、操作部３３より硬質である。
【００４０】
操作部３３の内周縁部には上方に向けて窪む内側溝部３３ｂが形成され、操作部３３の外周縁部には上方に向けて窪む外側溝部３３ｃが形成されている。このため、操作部３３は、内側溝部３３ｂおよび外側溝部３３ｃを固定端として変形しやすくなっている。内側溝部３３ｂおよび外側溝部３３ｃは、平面視で容器軸Ｏを中心とした環状に形成されている。頂壁部材３０のうち、内側溝部３３ｂに径方向内側で隣接する部分は内側支持部２３ａに当接若しくは近接し、外側溝部３３ｃに径方向外側で隣接する部分は外側支持部２３ｂに当接若しくは近接している。これにより、操作部３３が押下されると、操作部３３は内側支持部２３ａおよび外側支持部２３ｂによって支持されながら、内側溝部３３ｂおよび外側溝部３３ｃを固定端とするように上下方向に弾性変形する。
係止筒部３１、頂部３２、操作部３３、弁保持筒３４、および吐出孔４ａは、容器軸Ｏと同軸上に配置されている。
【００４１】
（第１弁体）
第１弁体５は、内蓋３に取り付けられており、連絡空間Ｓ１内に位置している。第１弁体５は、内蓋３の連通孔２１ａと連絡空間Ｓ１との連通、およびその遮断を切り替える役割を有する。本実施形態の例では、第１弁体５として、三点弁を用いている。なお、内容器２に収容する内容物の性状などに応じて、例えば、三点弁の形状を適宜変更したり、三点弁とは異なる構成の逆止弁を第１弁体５として採用したりすることができる。
【００４２】
第１弁体５は、弁筒５ｂと、第１弁本体５ａと、を備えている。弁筒５ｂは、内蓋３の内筒部２２内に嵌合しており、内筒部２２の規制突起２２ａよりも下方に位置している。これにより、第１弁体５は内蓋３に固定されている。弁筒５ｂの下端は、第１弁座部２１に対して、その上方から当接する。
第１弁本体５ａは、弁筒５ｂの下端部に連結されている。第１弁本体５ａは、弁筒５ｂ内に配置される。第１弁本体５ａは、円板状の弁板と、弁板と弁筒５ｂとを連結する複数の弾性脚と、を備える。弾性脚が弾性変形することで、第１弁本体５ａは、弁筒５ｂに対して上下方向に移動可能である。
【００４３】
第１弁本体５ａは、弁座台２１ｂにその上方から当接しており、連通孔２１ａの上方を覆っている。第１弁体５は、内容器２の収容空間Ｓ３から連絡空間Ｓ１への内容物の流れを許容し、連絡空間Ｓ１から収容空間Ｓ３への内容物の流れを遮断する逆止弁である。
【００４４】
（第２弁体）
第２弁体６は、中蓋４に装着されており、吐出孔４ａを開放可能に閉塞する。第２弁体６は、中蓋４と内蓋３との間に位置している。第２弁体６は、中蓋４の弁保持筒３４に装着される装着部６ａと、装着部６ａの下端部から径方向内側に延びる板状の底部６ｂと、底部６ｂの径方向中央部から上方に向けて延びる軸部６ｄと、を有している。装着部６ａ、底部６ｂ、および軸部６ｄは、容器軸Ｏと同軸上に配置されている。
なお、第２弁体６は、装着部６ａと軸部６ｄとが弾性変形可能な複数の連結帯によって接続された、三点弁と同様の構成を有していてもよい。この場合、連結帯を弾性変形させることで、軸部６ｄをよりスムーズに上下動させることができる。
【００４５】
装着部６ａは、上下方向に延びる筒状に形成されている。装着部６ａの上端部には、径方向内側に向けて突出する嵌合部が形成されている。装着部６ａの嵌合部が、弁保持筒３４の保持突起３４ａにアンダーカット嵌合されることで、第２弁体６が弁保持筒３４に装着されている。底部６ｂは、表裏面が上下方向を向く円板状に形成されている。底部６ｂのうち、軸部６ｄの径方向外側に位置する部分には、底部６ｂを上下方向に貫通する流通孔６ｃが形成されている。
【００４６】
軸部６ｄは、上下方向に延びる円柱状に形成されている。軸部６ｄの外径は、吐出孔４ａの内径よりも大きい。軸部６ｄの上端部には、吐出孔４ａを閉塞する閉塞部６ｅが設けられている。閉塞部６ｅには、上方に向かうに従って漸次縮径するテーパ面が形成されており、このテーパ面が吐出孔４ａの下端開口部に当接している。閉塞部６ｅの上端面は、頂部３２の上面３２ａ（吐出孔４ａの上端）より上方に位置していてもよく、上面３２ａと上下方向において同等の位置若しくはそれより下方に位置していてもよい。本実施形態の第２弁体６のうち、少なくとも閉塞部６ｅを除く部分は、頂部３２の上面３２ａよりも下方に位置している。
【００４７】
第２弁体６は、エラストマー等の弾性変形可能な材質により形成されている。操作部３３が押下されて連絡空間Ｓ１の内圧が高まると、閉塞部６ｅが下方移動して、吐出孔４ａが開放される。以上の構成により、第２弁体６は、吐出孔４ａを開放可能に閉塞している。また、吐出孔４ａから空気若しくは内容物が吐出されて、連絡空間Ｓ１の内圧が下がると、第２弁体６は復元変形して再び吐出孔４ａを閉塞する。従って、第２弁体６は、吐出孔４ａから吐出された内容物または外気が連絡空間Ｓ１内に逆流することを抑える逆止弁としても機能する。すなわち、第２弁体６は、連絡空間Ｓ１から外部への吐出孔４ａを通じた内容物または空気の流れを許容し、外部から連絡空間Ｓ１への内容物および空気の流れを遮断する。
【００４８】
次に、本実施形態におけるコンパクト容器１Ａの作用について説明する。
【００４９】
コンパクト容器１Ａが未使用状態の場合、内容物は、収容空間Ｓ３内にのみ収容されており、連絡空間Ｓ１および作動空間Ｓ２には、例えば空気が充填されている。
使用者は、プッシュピース８を操作して、外容器７の蓋部材５０を開く。次に、操作部３３を上方から押圧して、下方に窪ませるように弾性変形させる。このとき、操作部３３は、内側支持部２３ａおよび外側支持部２３ｂによって支持されながら、内側溝部３３ｂおよび外側溝部３３ｃを固定端とするように下方に弾性変形する。操作部３３が下方に弾性変形すると作動空間Ｓ２の容積が小さくなるため、作動空間Ｓ２およびこれに連通する連絡空間Ｓ１の内圧が上昇する。すると、連絡空間Ｓ１の内圧によって第２弁体６の閉塞部６ｅが下降して吐出孔４ａが開放され、連絡空間Ｓ１内の空気の一部が吐出孔４ａから外部へと排出される。その後、第２弁体６が復元変形して閉塞部６ｅが上昇し、吐出孔４ａを再び閉塞する。
【００５０】
操作部３３に加えられた押圧力が解除されると、弾性変形していた操作部３３が元の状態に復元変形する。これにより、作動空間Ｓ２の容積が増加して、作動空間Ｓ２および連絡空間Ｓ１内が負圧となる。このとき、吐出孔４ａは第２弁体６によって閉塞されているため、外部から連絡空間Ｓ１へ空気が入ることが抑制される。その一方で、連絡空間Ｓ１が負圧となると、この負圧によって第１弁本体５ａに上方に向けた力が作用する。この結果、第１弁本体５ａが上方に弾性変位して連通孔２１ａと連絡空間Ｓ１とが連通し、収容空間Ｓ３内の内容物が、連通孔２１ａを通じて連絡空間Ｓ１および作動空間Ｓ２内に吸い上げられる。このように、操作部３３が上方移動して連絡空間Ｓ１および作動空間Ｓ２の内圧が下降したときに、第２弁体６は吐出孔４ａと連絡空間Ｓ１との連通を遮断し、かつ、第１弁体５は連通孔２１ａと連絡空間Ｓ１とを連通させる。
【００５１】
上述した操作部３３の弾性変形および復元変形が複数行われると、連絡空間Ｓ１および作動空間Ｓ２内の空気が外部に排出されるとともに、連絡空間Ｓ１および作動空間Ｓ２内に内容物が充填される。なお、内容器２は可撓性を有しているため、内容物が連通孔２１ａを通して連絡空間Ｓ１等に流出することにともない減容変形する。これにより、内容物が連絡空間Ｓ１等に流入して収容空間Ｓ３内の内容物の総量が減った場合であっても、収容空間Ｓ３から連絡空間Ｓ１および作動空間Ｓ２へと安定して内容物を送ることが可能である。
【００５２】
連絡空間Ｓ１に内容物が充填された状態で、操作部３３を下方に弾性変形させると、連絡空間Ｓ１内の内容物が流通孔６ｃを通じて閉塞部６ｅの近傍に到達し、この内容物が閉塞部６ｅのテーパ面に下方に向けた圧力を作用させる。また、閉塞部６ｅの近傍に到達した内容物は、吐出孔４ａの下端開口部の近傍に、上方に向けた圧力を作用させる。内容物による連絡空間Ｓ１内の圧力が所定の大きさになると、閉塞部６ｅが下降するとともに吐出孔４ａの近傍が上方に向けて弾性変形し、吐出孔４ａが開放され、吐出孔４ａから内容物が吐出される。このように、本実施形態では、連絡空間Ｓ１内が所定の圧力になるまで吐出孔４ａが開放されず、中蓋４内の密封性が高められている。なお、吐出孔４ａの近傍を弾性変形させず、閉塞部６ｅの下降のみによって吐出孔４ａを開放する構成を採用してもよい。
【００５３】
以上の作用により、使用者は、操作部３３の押下およびその解除を繰り返すことで、内容物を吐出させることができる。なお、内容物は隆起部４３の内側に吐出されるため、隆起部４３によって中蓋４の上面から垂れることが抑制される。使用者は、パフＰ等によって中蓋４の上面を拭い、内容物をパフＰ等に付着させて、これを使用することができる。
【００５４】
以上説明したように、本実施形態のコンパクト容器１Ａによれば、操作部３３を押下して連絡空間Ｓ１の内圧を上昇させると、操作部３３の変形量に対応した量だけ、内容物を吐出孔４ａから吐出させることができる。そして本実施形態では、第２弁体６が、中蓋４に装着されている。これにより、例えば中蓋４に外力が作用した場合に、第２弁体６が中蓋４に対して移動して吐出孔４ａが不意に開放されてしまうことが抑えられる。従って、中蓋４内の密封性をより高めることができる。
【００５５】
また、第２弁体６が、中蓋４と内蓋３との間に位置しているため、使用者から第２弁体６が見えにくくなり、コンパクト容器１Ａの外観を良好にすることができる。
さらに、第２弁体６の上端を、上下方向において吐出孔４ａの上端と略同等若しくはそれよりも下方に位置させた場合、すなわち第２弁体６を吐出孔４ａの上端開口から上方に突出させない場合には、吐出孔４ａの上端開口部の近傍に意図しない外力が加わったとしても、この外力が第２弁体６に作用しにくくなる。従って、第２弁体６が不意に動いて吐出孔４ａが開放されてしまうことをより確実に抑えて、中蓋４の内側の密封性をより高めることができる。
【００５６】
また、操作部３３の下面３３ａが、上方に向けて凸となる形状に形成されているため、操作部３３を押下したときの下面３３ａの変形量が大きくなり、この下面３３ａに作用する面内の張力も大きくなる。従って、押下を解除したときに操作部３３に作用する上方に向けた復元変形力が大きくなり、操作部３３が弾性変形前の形状に復元変形しやすくなり、内容器２から連絡空間Ｓ１へと吸い上げられる内容物の量が安定し、次に操作部３３を押し下げたときの内容物の吐出量を安定させることができる。
また、本実施形態では、操作部３３の下面３３ａが、上方に向けて凸となる曲面状に形成されている。これにより、操作部３３が弾性変形した際に、下面３３ａに局所的に大きな応力が作用することが抑えられ、コンパクト容器１Ａの耐久性を向上させることができる。
【００５７】
また、操作部３３が平面視で環状に形成されているため、操作部３３が押下された時に、操作部３３の内周縁部および外周縁部を固定端とするように、この操作部３３が下方に弾性変形する。これにより、操作部３３に作用する上方に向けた弾性力がより大きくなり、より安定して操作部３３を元の形状に復元変形させることができる。
【００５８】
なお、操作部３３の下面３３ａは、図４に示すように、平坦面であってもよい。この場合には、操作部３３と内蓋３との間に、操作部３３を上方付勢する弾性変形可能な付勢部材を設けることができる。このような付勢部材を設けることで、操作部３３が押下された後の復元性をより高めることができる。なお、当該付勢部材は、操作部３３または内蓋３と一体であってもよいし、これらと別体であってもよい。
【００５９】
（第２実施形態）
次に、本発明に係る第２実施形態について説明するが、第１実施形態と基本的な構成は同様である。このため、同様の構成には同一の符号を付してその説明は省略し、異なる点についてのみ説明する。
図５に示すように、本実施形態のコンパクト容器１Ｂでは、第１実施形態と異なる形状の第２弁体７０を備えている。
【００６０】
第２弁体７０は、中蓋４に装着されており、吐出孔４ａを開放可能に閉塞する。第２弁体７０は、中蓋４と内蓋３との間に位置している。本実施形態では、第２弁体７０の全体が、頂部３２の上面３２ａ（中蓋４の上面）よりも下方に位置している。第２弁体７０は、ポリエチレン（ＰＥ）等の硬質の樹脂によって形成されている。第２弁体７０は、弁保持筒３４に装着される装着部７１と、装着部７１の下端部から径方向内側に延びる環状の底部７２と、底部７２の内周縁から上方に向けて延びる略円錐状の閉塞部７３と、を有している。装着部７１、底部７２、および閉塞部７３は、容器軸Ｏと同軸上に配置されている。
【００６１】
装着部７１は、上下方向に延びる筒状に形成されている。装着部７１の上端部には、径方向内側に向けて突出する嵌合部が形成されている。装着部７１の嵌合部が、弁保持筒３４の保持突起３４ａにアンダーカット嵌合されることで、第２弁体７０が弁保持筒３４に装着されている。底部７２は、表裏面が上下方向を向く円環状に形成されている。閉塞部７３の内面および外面は、上方に向かうに従って漸次縮径している。閉塞部７３の上端部は、上方に向けて凸の曲面状に形成されており、吐出孔４ａの下端開口部に当接している。これにより、閉塞部７３は吐出孔４ａを閉塞している。閉塞部７３のうち、吐出孔４ａの径方向外側に位置する部分には、閉塞部７３を上下方向に貫通する流通孔７３ａが形成されている。流通孔７３ａは、周方向に間隔を空けて複数形成されている。
【００６２】
本実施形態では、中蓋４における頂部３２のうち、吐出孔４ａの上端開口部の近傍に、凹部４ｂが形成されている。凹部４ｂは、頂部３２の上面３２ａ（中蓋４の上面）から下方に向けて窪んでいる。凹部４ｂは、下方に向けて凸となる曲面状に形成されており、容器軸Ｏと同軸上に配置されている。吐出孔４ａは、凹部４ｂの径方向内側に位置している。このため、中蓋４のうち吐出孔４ａに隣接する部分は、その他の部分よりも肉厚が薄い薄肉部４ｃとなっている。薄肉部４ｃは、連絡空間Ｓ１の内圧が高まったときに、上方に向けて弾性変形する。
【００６３】
本実施形態では、連絡空間Ｓ１内に空気が存在する状態で操作部３３が押下されると、連絡空間Ｓ１の内圧が高まることで、薄肉部４ｃが上方にめくれ上がるように弾性変形する。これにより、吐出孔４ａの下端開口部が閉塞部７３から上方に離間し、吐出孔４ａが開放されて、連絡空間Ｓ１内の空気が排出される。また、連絡空間Ｓ１内に内容物が充填された状態で操作部３３が押下されると、内容物が流通孔７３ａを通じて薄肉部４ｃに向かい、薄肉部４ｃを上方に押し上げる。これにより、薄肉部４ｃがめくれ上がるように弾性変形し、吐出孔４ａが開放される。吐出孔４ａから内容物が吐出された後、薄肉部４ｃが下方に向けて復元変形することで、吐出孔４ａが再び閉塞される。このように、本実施形態のコンパクト容器１Ｂでは、第２弁体７０の弾性変位または弾性変形によらず、中蓋４における薄肉部４ｃの弾性変形によって、吐出孔４ａが開放若しくは閉塞される。
【００６４】
そして本実施形態では、第２弁体７０が中蓋４と内蓋３との間に位置し、第２弁体７０の全体が中蓋４の上面よりも下方に位置しているため、使用者から第２弁体７０がより見えにくくなり、コンパクト容器１Ｂの外観をさらに良好にすることができる。
【００６５】
なお、本発明の技術的範囲は前記実施の形態に限定されるものではなく、本発明の趣旨を逸脱しない範囲において種々の変更を加えることが可能である。
【００６６】
例えば、前記実施形態では、吐出孔４ａが径方向の中央付近（容器軸Ｏ近傍）に配置されていたが、例えば吐出孔４ａが容器軸Ｏから径方向に離れて配置されていてもよい。この場合、操作部３３は、吐出孔４ａを避けるように、平面視でＣ字状に形成されていてもよい。
【００６７】
また、コンパクト容器１Ａ、１Ｂは、蓋部材５０および底部材６０が螺合されており、容器軸Ｏ回りに相対回転することで、蓋部材５０が底部材６０から取り外される容器であってもよい。
【００６８】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【００６９】
例えば、第２実施形態のコンパクト容器１Ｂ（図５）において、操作部３３の下面３３ａが、図４に示すような平坦面であってもよい。さらに、第１実施形態で述べた内容と同様に、操作部３３と内蓋３との間に、操作部３３を上方付勢する付勢部材を設けてもよい。
【符号の説明】
【００７０】
１Ａ、１Ｂ…コンパクト容器  ２…内容器  ３…内蓋  ４…中蓋  ５…第１弁体  ６…第２弁体  ７…外容器  ２１ａ…連通孔  ３３…操作部  ３３ａ…下面  ４ａ…吐出孔  Ｓ１…連絡空間  Ｓ２…作動空間  Ｓ３…収容空間
【図１】
2019080857.tif 000003
【図２】
2019080857.tif 000004
【図３】
2019080857.tif 000005
【図４】
2019080857.tif 000006
【図５】
2019080857.tif 000007